(57)【特許請求の範囲】
【請求項１】
第１の通信端末と、第２の通信端末と、当該第１の通信端末及び当該第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置と、を含む通信システムであって、
前記第２の通信端末を使用するユーザの位置が、予め設定された端末使用領域内の位置であるか否かを検出するユーザ位置検出手段を備えるとともに、
前記呼制御装置は、
前記ユーザ位置検出手段により前記ユーザの位置が前記端末使用領域内の位置でないと検出された状態において、前記第１の通信端末から前記通信先特定情報を受信した場合、その通信先特定情報を記憶する発呼情報記憶手段を備え、
前記呼出制御手段は、前記通信先特定情報が記憶されている状態において、前記ユーザ位置検出手段により前記ユーザの位置が前記端末使用領域内の位置であると検出された場合、前記第１の通信端末を呼び出す呼出信号を当該第１の通信端末へ送信するとともに、当該第１の通信端末を使用するユーザによって、その呼出信号に応答して入力された選択情報を受け付け、且つ、当該受け付けた選択情報が、前記第２の通信端末との間の通信を要求する通信要求情報であるとき、当該第２の通信端末を呼び出す呼出信号を当該第２の通信端末へ送信し、当該受け付けた選択情報が、当該第２の通信端末との間の通信の開始を延期する旨を指示する通信延期情報であるとき、当該第２の通信端末を呼び出す呼出信号の送信を予め設定された延期時間が経過するまで延期するように構成された通信システム。
【請求項２】
請求項１に記載の通信システムであって、
前記呼出制御手段は、前記受け付けた選択情報が、前記第２の通信端末との間の通信の要求を取り消す旨を指示する要求取消情報であるとき、当該第２の通信端末を呼び出す呼出信号の送信を行わないとともに前記発呼情報記憶手段に記憶されている通信先特定情報を消去するように構成された通信システム。
【請求項３】
請求項１又は請求項２に記載の通信システムであって、
前記呼出制御手段は、前記ユーザ位置検出手段により前記ユーザの位置が前記端末使用領域内の位置でないと検出された状態において、前記第１の通信端末から前記通信先特定情報を受信した場合、前記第２の通信端末を呼び出す呼出信号の送信を行わないように構成された通信システム。
【請求項４】
請求項１乃至請求項３のいずれか一項に記載の通信システムであって、
前記呼出制御手段は、前記ユーザの位置が前記端末使用領域外の位置である状態において、前記第１の通信端末から前記通信先特定情報を受信した場合、当該第１の通信端末を使用するユーザに前記第２の通信端末を使用するユーザが不在である旨を表すメッセージを通知するように構成された通信システム。
【請求項５】
請求項１乃至請求項４のいずれか一項に記載の通信システムであって、
前記ユーザ位置検出手段は、前記第２の通信端末を使用するユーザにより保持され且つユーザを識別する識別情報を保持する識別情報保持体と、前記識別情報保持体に保持されている識別情報を電磁波を介して読み出す読出装置と、により構成される通信システム。
【請求項６】
第１の通信端末及び第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置であって、
前記第２の通信端末を使用するユーザの位置が、予め設定された端末使用領域内の位置であるか否かを表すユーザ位置情報を受け付けるユーザ位置情報受付手段と、
前記ユーザの位置が前記端末使用領域内の位置でないことを前記受け付けたユーザ位置情報が表す状態において、前記第１の通信端末から前記通信先特定情報を受信した場合、その通信先特定情報を記憶する発呼情報記憶手段と、
を備え、
前記呼出制御手段は、前記通信先特定情報が記憶されている状態において、前記ユーザの位置が前記端末使用領域内の位置であることを前記受け付けたユーザ位置情報が表す場合、前記第１の通信端末を呼び出す呼出信号を当該第１の通信端末へ送信するとともに、当該第１の通信端末を使用するユーザによって、その呼出信号に応答して入力された選択情報を受け付け、且つ、当該受け付けた選択情報が、前記第２の通信端末との間の通信を要求する通信要求情報であるとき、当該第２の通信端末を呼び出す呼出信号を当該第２の通信端末へ送信し、当該受け付けた選択情報が、当該第２の通信端末との間の通信の開始を延期する旨を指示する通信延期情報であるとき、当該第２の通信端末を呼び出す呼出信号の送信を予め設定された延期時間が経過するまで延期するように構成された呼制御装置。
【請求項７】
請求項６に記載の呼制御装置であって、
前記呼出制御手段は、前記受け付けた選択情報が、前記第２の通信端末との間の通信の要求を取り消す旨を指示する要求取消情報であるとき、当該第２の通信端末を呼び出す呼出信号の送信を行わないとともに前記発呼情報記憶手段に記憶されている通信先特定情報を消去するように構成された呼制御装置。
【請求項８】
第１の通信端末及び第２の通信端末のそれぞれと通信可能に接続された呼制御装置に、
前記第２の通信端末を通信先の通信端末として特定する通信先特定情報を前記第１の通信端末から受信した場合に当該第１の通信端末及び当該第２の通信端末の間の通信を可能とするために当該第２の通信端末を呼び出す呼出信号を当該第２の通信端末へ送信する呼出制御手段を実現させるための呼制御プログラムであって、
更に、前記呼制御装置に、
前記第２の通信端末を使用するユーザの位置が、予め設定された端末使用領域内の位置であるか否かを表すユーザ位置情報を受け付けるユーザ位置情報受付手段と、
前記ユーザの位置が前記端末使用領域内の位置でないことを前記受け付けたユーザ位置情報が表す状態において、前記第１の通信端末から前記通信先特定情報を受信した場合、その通信先特定情報を記憶手段に記憶させる発呼情報記憶処理手段と、
を実現させるとともに、
前記呼出制御手段は、前記通信先特定情報が前記記憶手段に記憶されている状態において、前記ユーザの位置が前記端末使用領域内の位置であることを前記受け付けたユーザ位置情報が表す場合、前記第１の通信端末を呼び出す呼出信号を当該第１の通信端末へ送信するとともに、当該第１の通信端末を使用するユーザによって、その呼出信号に応答して入力された選択情報を受け付け、且つ、当該受け付けた選択情報が、前記第２の通信端末との間の通信を要求する通信要求情報であるとき、当該第２の通信端末を呼び出す呼出信号を当該第２の通信端末へ送信し、当該受け付けた選択情報が、当該第２の通信端末との間の通信の開始を延期する旨を指示する通信延期情報であるとき、当該第２の通信端末を呼び出す呼出信号の送信を予め設定された延期時間が経過するまで延期するように構成された呼制御プログラム。
【請求項９】
請求項８に記載の呼制御プログラムであって、
前記呼出制御手段は、前記受け付けた選択情報が、前記第２の通信端末との間の通信の要求を取り消す旨を指示する要求取消情報であるとき、当該第２の通信端末を呼び出す呼出信号の送信を行わないとともに前記記憶手段に記憶されている通信先特定情報を消去するように構成された呼制御プログラム。
【請求項１０】
第１の通信端末及び第２の通信端末のそれぞれと通信可能に接続された呼制御装置が、当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御工程を含む呼制御方法であって、
前記第２の通信端末を使用するユーザの位置が、予め設定された端末使用領域内の位置であるか否かを表すユーザ位置情報を受け付けるユーザ位置情報受付工程と、
前記ユーザの位置が前記端末使用領域内の位置でないことを前記受け付けたユーザ位置情報が表す状態において、前記呼制御装置が前記第１の通信端末から前記通信先特定情報を受信した場合、その通信先特定情報を記憶手段に記憶させる発呼情報記憶処理工程と、
を含み、
前記呼出制御工程は、前記通信先特定情報が前記記憶手段に記憶されている状態において、前記ユーザの位置が前記端末使用領域内の位置であることを前記受け付けたユーザ位置情報が表す場合、前記呼制御装置が前記第１の通信端末を呼び出す呼出信号を当該第１の通信端末へ送信するとともに、当該第１の通信端末を使用するユーザによって、その呼出信号に応答して入力された選択情報を当該呼制御装置が受け付け、且つ、当該受け付けた選択情報が、前記第２の通信端末との間の通信を要求する通信要求情報であるとき、当該呼制御装置が当該第２の通信端末を呼び出す呼出信号を当該第２の通信端末へ送信し、当該受け付けた選択情報が、当該第２の通信端末との間の通信の開始を延期する旨を指示する通信延期情報であるとき、当該呼制御装置が当該第２の通信端末を呼び出す呼出信号の送信を予め設定された延期時間が経過するまで延期するように構成された呼制御方法。
【請求項１１】
請求項１０に記載の呼制御方法であって、
前記呼出制御工程は、前記受け付けた選択情報が、前記第２の通信端末との間の通信の要求を取り消す旨を指示する要求取消情報であるとき、当該第２の通信端末を呼び出す呼出信号の送信を行わないとともに前記記憶手段に記憶されている通信先特定情報を消去するように構成された呼制御方法。
【発明の詳細な説明】
【技術分野】
【０００１】
本発明は、第１の通信端末と第２の通信端末との間の通信を制御する通信システムに関する。
【背景技術】
【０００２】
第１の通信端末と、第２の通信端末と、第１の通信端末及び第２の通信端末のそれぞれと通信可能に接続された呼制御装置と、を含む通信システムが知られている。この通信システムにおいては、第１の通信端末を使用するユーザ（第１のユーザ）が第２の通信端末を使用するユーザ（第２のユーザ）に電話をかける操作を行うと、第１の通信端末は、第２の通信端末を通信先の通信端末として特定する通信先特定情報を呼制御装置へ送信する。
【０００３】
そして、呼制御装置は、通信先特定情報を第１の通信端末から受信した場合、第１の通信端末及び第２の通信端末の間の通信を可能とするために第２の通信端末を呼び出す呼出信号を第２の通信端末へ送信する。
【０００４】
この種の通信システムの一つとして、特許文献１に記載の通信システムにおいては、第２の通信端末は、通知情報を呼制御装置へ送信する。通知情報は、第２の通信端末を使用するユーザ（第２のユーザ）の位置を表す情報である。呼制御装置は、通知情報が離席（第２のユーザが第２の通信端末を使用できない位置にいること）を表す情報から在席（第２のユーザが第２の通信端末を使用できる位置にいること）を表す情報へ変化した場合、第１の通信端末及び第２の通信端末を呼び出し、両者の間の通信が可能となるように両者を接続する。
【０００５】
【特許文献１】特開２００７−２５１５０２号公報
【０００６】
これによれば、第２のユーザが離席している状態（第２のユーザが第２の通信端末を使用できない位置にいる状態）において、第１のユーザが第２のユーザに電話をかけた場合、その後、第２のユーザが在席している状態となったとき（第２のユーザが第２の通信端末を使用できる位置へ戻ったとき）に、第１の通信端末及び第２の通信端末が呼び出される。これにより、第１のユーザと第２のユーザとは通話することができる。
【０００７】
即ち、第１のユーザは、第２のユーザへ電話をかけた場合に第２のユーザが第２の通信端末を使用できない位置にいるときであっても、第２のユーザが第２の通信端末を使用できる位置へ戻ったときに直ちに第２のユーザと通話することができる。従って、第１のユーザは、第２のユーザへ再度電話をかける操作を行うことなく、且つ、第２のユーザが第１のユーザへ電話をかけてくることを待つことなく、迅速且つ確実に第２のユーザと通話することができる。
【発明の開示】
【発明が解決しようとする課題】
【０００８】
しかしながら、上記通信システムにおいては、第２のユーザが第２の通信端末を使用できる位置に戻ったときに、直ちに第１の通信端末及び第２の通信端末が呼び出される。従って、第２のユーザが第２の通信端末を使用できる位置に戻った時点にて第１のユーザが通話を希望していない場合であっても通話が開始してしまう場合が生じるという問題があった。
【０００９】
このため、本発明の目的は、上述した課題である「ユーザが通話を希望していない場合であっても通話が開始してしまう場合が生じること」を解決することが可能な通信システムを提供することにある。
【課題を解決するための手段】
【００１０】
かかる目的を達成するため本発明の一形態である通信システムは、
第１の通信端末と、第２の通信端末と、当該第１の通信端末及び当該第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置と、を含むシステムである。
【００１１】
更に、この通信システムは、
上記第２の通信端末を使用するユーザの位置が、予め設定された端末使用領域内の位置であるか否かを検出するユーザ位置検出手段を備える。
加えて、上記呼制御装置は、
上記ユーザ位置検出手段により上記ユーザの位置が上記端末使用領域内の位置でないと検出された状態において、上記第１の通信端末から上記通信先特定情報を受信した場合、その通信先特定情報を記憶する発呼情報記憶手段を備え、
上記呼出制御手段は、上記通信先特定情報が記憶されている状態において、上記ユーザ位置検出手段により上記ユーザの位置が上記端末使用領域内の位置であると検出された場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００１２】
また、本発明の他の形態である通信システムは、
第１の通信端末と、第２の通信端末と、当該第１の通信端末及び当該第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置と、を含むシステムである。
【００１３】
更に、この通信システムは、
上記第２の通信端末を使用するユーザの位置が、予め設定された端末使用領域内の位置であるか否かを検出するユーザ位置検出手段を備える。
加えて、上記呼制御装置は、
上記ユーザ位置検出手段により上記ユーザの位置が上記端末使用領域内の位置でないと検出された状態において、上記第１の通信端末から上記通信先特定情報を受信した場合、その通信先特定情報を記憶する発呼情報記憶手段を備え、
上記呼出制御手段は、上記通信先特定情報が記憶されている状態において、上記ユーザ位置検出手段により上記ユーザの位置が上記端末使用領域内の位置であると検出された場合、上記第２の通信端末を使用するユーザによって入力された選択情報を受け付けるとともに、その受け付けた選択情報が、上記第１の通信端末との間の通信を要求する通信要求情報であるとき、当該第１の通信端末を呼び出す呼出信号を当該第１の通信端末へ送信するように構成される。
【００１４】
また、本発明の他の形態である呼制御装置は、
第１の通信端末及び第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える装置である。
【００１５】
更に、この呼制御装置は、
上記第２の通信端末を使用するユーザの位置が、予め設定された端末使用領域内の位置であるか否かを表すユーザ位置情報を受け付けるユーザ位置情報受付手段と、
上記ユーザの位置が上記端末使用領域内の位置でないことを上記受け付けたユーザ位置情報が表す状態において、上記第１の通信端末から上記通信先特定情報を受信した場合、その通信先特定情報を記憶する発呼情報記憶手段と、
を備える。
【００１６】
加えて、上記呼出制御手段は、上記通信先特定情報が記憶されている状態において、上記ユーザの位置が上記端末使用領域内の位置であることを上記受け付けたユーザ位置情報が表す場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００１７】
また、本発明の他の形態である呼制御プログラムは、
第１の通信端末及び第２の通信端末のそれぞれと通信可能に接続された呼制御装置に、
上記第２の通信端末を通信先の通信端末として特定する通信先特定情報を上記第１の通信端末から受信した場合に当該第１の通信端末及び当該第２の通信端末の間の通信を可能とするために当該第２の通信端末を呼び出す呼出信号を当該第２の通信端末へ送信する呼出制御手段を実現させるためのプログラムである。
【００１８】
更に、この呼制御プログラムは、
上記呼制御装置に、
上記第２の通信端末を使用するユーザの位置が、予め設定された端末使用領域内の位置であるか否かを表すユーザ位置情報を受け付けるユーザ位置情報受付手段と、
上記ユーザの位置が上記端末使用領域内の位置でないことを上記受け付けたユーザ位置情報が表す状態において、上記第１の通信端末から上記通信先特定情報を受信した場合、その通信先特定情報を記憶手段に記憶させる発呼情報記憶処理手段と、
を実現させるためのプログラムである。
【００１９】
加えて、上記呼出制御手段は、上記通信先特定情報が上記記憶手段に記憶されている状態において、上記ユーザの位置が上記端末使用領域内の位置であることを上記受け付けたユーザ位置情報が表す場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００２０】
また、本発明の他の形態である呼制御方法は、
第１の通信端末及び第２の通信端末のそれぞれと通信可能に接続された呼制御装置が、当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御工程を含む方法である。
【００２１】
更に、この呼制御方法は、
上記第２の通信端末を使用するユーザの位置が、予め設定された端末使用領域内の位置であるか否かを表すユーザ位置情報を受け付けるユーザ位置情報受付工程と、
上記ユーザの位置が上記端末使用領域内の位置でないことを上記受け付けたユーザ位置情報が表す状態において、上記呼制御装置が上記第１の通信端末から上記通信先特定情報を受信した場合、その通信先特定情報を記憶手段に記憶させる発呼情報記憶処理工程と、
を含む。
【００２２】
加えて、上記呼出制御工程は、上記通信先特定情報が上記記憶手段に記憶されている状態において、上記ユーザの位置が上記端末使用領域内の位置であることを上記受け付けたユーザ位置情報が表す場合、上記呼制御装置が上記第１の通信端末を使用するユーザによって入力された選択情報を受け付けるとともに、その受け付けた選択情報が、上記第２の通信端末との間の通信を要求する通信要求情報であるとき、当該呼制御装置が当該第２の通信端末を呼び出す呼出信号を当該第２の通信端末へ送信するように構成される。
【発明の効果】
【００２３】
本発明は、以上のように構成されることにより、第２のユーザが第２の通信端末を使用できる位置に戻ったときに、第２の通信端末を呼び出すか否かを第１のユーザが選択することを可能にする。
【発明を実施するための最良の形態】
【００２４】
本発明の一形態である通信システムは、
第１の通信端末と、第２の通信端末と、当該第１の通信端末及び当該第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置と、を含むシステムである。
【００２５】
更に、この通信システムは、
上記第２の通信端末を使用するユーザの位置が、予め設定された端末使用領域内の位置であるか否かを検出するユーザ位置検出手段を備える。
加えて、上記呼制御装置は、
上記ユーザ位置検出手段により上記ユーザの位置が上記端末使用領域内の位置でないと検出された状態において、上記第１の通信端末から上記通信先特定情報を受信した場合、その通信先特定情報を記憶する発呼情報記憶手段を備え、
上記呼出制御手段は、上記通信先特定情報が記憶されている状態において、上記ユーザ位置検出手段により上記ユーザの位置が上記端末使用領域内の位置であると検出された場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００２６】
これによれば、第１の通信端末を使用するユーザ（第１のユーザ）が選択情報を入力することにより、呼出信号を第２の通信端末へ送信するか否かを決定することができる。即ち、第２の通信端末を使用するユーザ（第２のユーザ）が第２の通信端末を使用できる位置に戻ったときに、第２の通信端末を呼び出すか否かを第１のユーザが選択することができる。従って、第２のユーザの位置が上記端末使用領域内の位置となった時点にて、第１のユーザが通話を希望していない場合、第２のユーザとの間の通話が開始することを防止できる。即ち、第１のユーザの利便性を向上させることができる。
【００２７】
この場合、
上記呼出制御手段は、上記第１の通信端末を呼び出す呼出信号を当該第１の通信端末へ送信するとともに、その呼出信号に応答して上記ユーザによって入力された選択情報を受け付けるように構成されることが好適である。
【００２８】
更に、この場合、
上記呼出制御手段は、上記入力された選択情報が、上記第２の通信端末との間の通信の開始を延期する旨を指示する通信延期情報であるとき、当該第２の通信端末を呼び出す呼出信号の送信を予め設定された延期時間が経過するまで延期するように構成されることが好適である。
【００２９】
これによれば、第１のユーザが、現時点にて通話を希望しない場合であって、後に通話を希望する（即ち、通信の開始を延期したい）場合、上記延期時間だけ通信の開始が延期される。この結果、第１のユーザの利便性を向上させることができる。また、第１のユーザが第２のユーザに電話をかけ忘れることによって、第１のユーザと第２のユーザとの間の通話が行われないことを防止することができる。
【００３０】
加えて、この場合、
上記呼出制御手段は、上記入力された選択情報が、上記第２の通信端末との間の通信の要求を取り消す旨を指示する要求取消情報であるとき、当該第２の通信端末を呼び出す呼出信号の送信を行わないとともに上記発呼情報記憶手段に記憶されている通信先特定情報を消去するように構成されることが好適である。
【００３１】
これによれば、第１のユーザが通話を希望しなくなった場合、第２の通信端末へ呼出信号が送信されることを防止することができる。即ち、第１の通信端末と第２の通信端末との間の通信の要求を取り消す（キャンセルする）ことができる。この結果、第１のユーザの利便性を向上させることができる。
【００３２】
更に、この場合、
上記呼出制御手段は、上記ユーザ位置検出手段により上記ユーザの位置が上記端末使用領域内の位置でないと検出された状態において、上記第１の通信端末から上記通信先特定情報を受信した場合、上記第２の通信端末を呼び出す呼出信号の送信を行わないように構成されることが好適である。
【００３３】
これによれば、第２のユーザの位置が上記端末使用領域外の位置である（第２のユーザが第２の通信端末を使用できない位置にいる）場合に、無駄に第２の通信端末を呼び出すことを防止することができる。
【００３４】
加えて、この場合、
上記呼出制御手段は、上記ユーザの位置が上記端末使用領域外の位置である状態において、上記第１の通信端末から上記通信先特定情報を受信した場合、当該第１の通信端末を使用するユーザに上記第２の通信端末を使用するユーザが不在である旨を表すメッセージを通知するように構成されることが好適である。
【００３５】
これによれば、第２のユーザの位置が上記端末使用領域外の位置である（第２のユーザが第２の通信端末を使用できない位置にいる）ことを第１のユーザに認識させることができる。この結果、第１のユーザの利便性を向上させることができる。
【００３６】
更に、この場合、
上記ユーザ位置検出手段は、上記第２の通信端末を使用するユーザにより保持され且つユーザを識別する識別情報を保持する識別情報保持体と、上記識別情報保持体に保持されている識別情報を電磁波を介して読み出す読出装置と、により構成されることが好適である。
【００３７】
電磁波は、伝搬される距離が長くなるほど大きく減衰する。従って、このような構成により、第２のユーザの位置が端末使用領域内の位置であるか否かを適切に検出することができる。
【００３８】
また、本発明の他の形態である通信システムは、
第１の通信端末と、第２の通信端末と、当該第１の通信端末及び当該第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える呼制御装置と、を含むシステムである。
【００３９】
更に、この通信システムは、
上記第２の通信端末を使用するユーザの位置が、予め設定された端末使用領域内の位置であるか否かを検出するユーザ位置検出手段を備える。
加えて、上記呼制御装置は、
上記ユーザ位置検出手段により上記ユーザの位置が上記端末使用領域内の位置でないと検出された状態において、上記第１の通信端末から上記通信先特定情報を受信した場合、その通信先特定情報を記憶する発呼情報記憶手段を備え、
上記呼出制御手段は、上記通信先特定情報が記憶されている状態において、上記ユーザ位置検出手段により上記ユーザの位置が上記端末使用領域内の位置であると検出された場合、上記第２の通信端末を使用するユーザによって入力された選択情報を受け付けるとともに、その受け付けた選択情報が、上記第１の通信端末との間の通信を要求する通信要求情報であるとき、当該第１の通信端末を呼び出す呼出信号を当該第１の通信端末へ送信するように構成される。
【００４０】
これによれば、第２の通信端末を使用するユーザ（第２のユーザ）が選択情報を入力することにより、呼出信号を第１の通信端末へ送信するか否かを決定することができる。従って、第２のユーザの位置が上記端末使用領域内の位置となった時点にて、第２のユーザが通話を希望していない場合、第１の通信端末を使用するユーザ（第１のユーザ）との間の通話が開始することを防止できる。即ち、第２のユーザの利便性を向上させることができる。
【００４１】
この場合、
上記呼出制御手段は、上記第２の通信端末を呼び出す呼出信号を当該第２の通信端末へ送信するとともに、その呼出信号に応答して上記ユーザによって入力された選択情報を受け付けるように構成されることが好適である。
【００４２】
また、本発明の他の形態である呼制御装置は、
第１の通信端末及び第２の通信端末のそれぞれと通信可能に接続されるとともに当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御手段を備える装置である。
【００４３】
更に、この呼制御装置は、
上記第２の通信端末を使用するユーザの位置が、予め設定された端末使用領域内の位置であるか否かを表すユーザ位置情報を受け付けるユーザ位置情報受付手段と、
上記ユーザの位置が上記端末使用領域内の位置でないことを上記受け付けたユーザ位置情報が表す状態において、上記第１の通信端末から上記通信先特定情報を受信した場合、その通信先特定情報を記憶する発呼情報記憶手段と、
を備える。
【００４４】
加えて、上記呼出制御手段は、上記通信先特定情報が記憶されている状態において、上記ユーザの位置が上記端末使用領域内の位置であることを上記受け付けたユーザ位置情報が表す場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００４５】
この場合、
上記呼出制御手段は、上記第１の通信端末を呼び出す呼出信号を当該第１の通信端末へ送信するとともに、その呼出信号に応答して上記ユーザによって入力された選択情報を受け付けるように構成されることが好適である。
【００４６】
また、本発明の他の形態である呼制御プログラムは、
第１の通信端末及び第２の通信端末のそれぞれと通信可能に接続された呼制御装置に、
上記第２の通信端末を通信先の通信端末として特定する通信先特定情報を上記第１の通信端末から受信した場合に当該第１の通信端末及び当該第２の通信端末の間の通信を可能とするために当該第２の通信端末を呼び出す呼出信号を当該第２の通信端末へ送信する呼出制御手段を実現させるためのプログラムである。
【００４７】
更に、この呼制御プログラムは、
上記呼制御装置に、
上記第２の通信端末を使用するユーザの位置が、予め設定された端末使用領域内の位置であるか否かを表すユーザ位置情報を受け付けるユーザ位置情報受付手段と、
上記ユーザの位置が上記端末使用領域内の位置でないことを上記受け付けたユーザ位置情報が表す状態において、上記第１の通信端末から上記通信先特定情報を受信した場合、その通信先特定情報を記憶手段に記憶させる発呼情報記憶処理手段と、
を実現させるためのプログラムである。
【００４８】
加えて、上記呼出制御手段は、上記通信先特定情報が上記記憶手段に記憶されている状態において、上記ユーザの位置が上記端末使用領域内の位置であることを上記受け付けたユーザ位置情報が表す場合、上記第１の通信端末を使用するユーザによって入力された選択情報を受け付けるとともに、その受け付けた選択情報が、上記第２の通信端末との間の通信を要求する通信要求情報であるとき、当該第２の通信端末を呼び出す呼出信号を当該第２の通信端末へ送信するように構成される。
【００４９】
この場合、
上記呼出制御手段は、上記第１の通信端末を呼び出す呼出信号を当該第１の通信端末へ送信するとともに、その呼出信号に応答して上記ユーザによって入力された選択情報を受け付けるように構成されることが好適である。
【００５０】
また、本発明の他の形態である呼制御方法は、
第１の通信端末及び第２の通信端末のそれぞれと通信可能に接続された呼制御装置が、当該第２の通信端末を通信先の通信端末として特定する通信先特定情報を当該第１の通信端末から受信した場合に当該第１の通信端末及び当該第２の通信端末の間の通信を可能とするために当該第２の通信端末を呼び出す呼出信号を当該第２の通信端末へ送信する呼出制御工程を含む方法である。
【００５１】
更に、この呼制御方法は、
上記第２の通信端末を使用するユーザの位置が、予め設定された端末使用領域内の位置であるか否かを表すユーザ位置情報を受け付けるユーザ位置情報受付工程と、
上記ユーザの位置が上記端末使用領域内の位置でないことを上記受け付けたユーザ位置情報が表す状態において、上記呼制御装置が上記第１の通信端末から上記通信先特定情報を受信した場合、その通信先特定情報を記憶手段に記憶させる発呼情報記憶処理工程と、
を含む。
【００５２】
加えて、上記呼出制御工程は、上記通信先特定情報が上記記憶手段に記憶されている状態において、上記ユーザの位置が上記端末使用領域内の位置であることを上記受け付けたユーザ位置情報が表す場合、上記呼制御装置が上記第１の通信端末を使用するユーザによって入力された選択情報を受け付けるとともに、その受け付けた選択情報が、上記第２の通信端末との間の通信を要求する通信要求情報であるとき、当該呼制御装置が当該第２の通信端末を呼び出す呼出信号を当該第２の通信端末へ送信するように構成される。
【００５３】
この場合、
上記呼出制御工程は、上記呼制御装置が、上記第１の通信端末を呼び出す呼出信号を当該第１の通信端末へ送信するとともに、その呼出信号に応答して上記ユーザによって入力された選択情報を受け付けるように構成されることが好適である。
【００５４】
上述した構成を有する、呼制御装置、呼制御プログラム、又は、呼制御方法、の発明であっても、上記通信システムと同様の作用を有するために、上述した本発明の目的を達成することができる。
【００５５】
以下、本発明に係る、通信システム、呼制御装置、呼制御プログラム、及び、呼制御方法、の実施形態について図１〜図６を参照しながら説明する。
【００５６】
＜実施形態＞
図１に示したように、実施形態に係る通信システム１は、第１の電話端末（第１の通信端末）２と、第２の電話端末（第２の通信端末）３と、呼制御装置４と、ＲＦＩＤ（Ｒａｄｉｏ  Ｆｒｅｑｕｅｎｃｙ  Ｉｄｅｎｔｉｆｉｃａｔｉｏｎ）リーダ（読出装置）５と、を含む。
【００５７】
第１の電話端末２は、受話器と、「０」〜「９」のダイアル用ボタン（ボタン式スイッチ）を含む複数のボタンと、を備える。第２の電話端末３も第１の電話端末２と同様の構成を有する。
【００５８】
呼制御装置４は、第１の電話端末２及び第２の電話端末３のそれぞれと通信可能に接続されている。呼制御装置４は、図示しないＣＰＵ及び記憶手段を構成する記憶装置（メモリ及びハードディスク装置（ＨＤＤ）等）を備える。呼制御装置４は、記憶装置に記憶されているプログラムをＣＰＵが実行することにより後述する機能を含む種々の機能を実現する。また、呼制御装置４は、プログラムと同様の処理を行う回路を有していてもよい。
【００５９】
ＲＦＩＤリーダ５は、ＲＦＩＤタグ（識別情報保持体）６に保持（記憶）されている情報を電磁波を介して（近距離（例えば、数ｍ）の無線通信によって）読み出す装置である。ＲＦＩＤリーダ５は、図示しない記憶装置（本例では、メモリ）を備えている。ＲＦＩＤリーダ５の記憶装置には、第２の電話端末３を使用するユーザＵＢを識別するユーザ識別情報と、第２の電話端末３を識別する端末識別情報（本例では、電話番号）と、が予め記憶されている。
【００６０】
ＲＦＩＤタグ６には、ユーザＵＢを識別するユーザ識別情報が保持されている。ＲＦＩＤタグ６は、ユーザＵＢにより保持されている。本例では、ＲＦＩＤタグ６は、ユーザＵＢが携帯する社員証と一体に形成されている。
【００６１】
ＲＦＩＤリーダ５は、ＲＦＩＤタグ６の位置が、第２の電話端末３を含む領域であって第２の電話端末３の近傍の領域（端末使用領域）内の位置である場合にＲＦＩＤタグ６に保持されているユーザ識別情報を読み出すことができるように、且つ、ＲＦＩＤタグ６の位置が端末使用領域内の位置でない（端末使用領域外の位置である）場合にＲＦＩＤタグ６に保持されているユーザ識別情報を読み出すことができないように、予め設定されている。また、ＲＦＩＤリーダ５は、呼制御装置４と通信可能に接続されている。
なお、ＲＦＩＤリーダ５及びＲＦＩＤタグ６は、ユーザ位置検出手段を構成している。
【００６２】
図２は、上記のように構成された通信システム１の機能を表すブロック図である。この機能は、呼制御装置４のＣＰＵが後述する図３及び図５に示したフローチャートにより表されるプログラムを実行すること等により、実現される。
【００６３】
ＲＦＩＤリーダ５の機能は、ユーザ位置検出部（ユーザ位置検出手段）１１と、ユーザ位置情報送信部１２と、を含む。
ユーザ位置検出部１１は、予め設定された検出時間が経過する毎に、端末使用領域内に存在しているＲＦＩＤタグに保持されているユーザ識別情報を読み出す。
【００６４】
ユーザ位置検出部１１は、読み出したユーザ識別情報が、ＲＦＩＤリーダ５の記憶装置に記憶されているユーザ識別情報と一致している場合、第２の電話端末３を使用するユーザＵＢの位置が端末使用領域内の位置であること（「在席」）を表すユーザ位置情報を生成する。
【００６５】
一方、ユーザ位置検出部１１は、読み出したユーザ識別情報が、記憶装置に記憶されているユーザ識別情報と一致していない場合、及び、いずれのユーザ識別情報も読み出せなかった場合、第２の電話端末３を使用するユーザＵＢの位置が端末使用領域内の位置でないこと（「離席」）を表すユーザ位置情報を生成する。
【００６６】
即ち、ユーザ位置検出部１１は、第２の電話端末３を使用するユーザＵＢの位置が端末使用領域内の位置であるか否かを検出している、と言うことができる。
【００６７】
ユーザ位置情報送信部１２は、ユーザ位置検出部１１によって生成されたユーザ位置情報と、ＲＦＩＤリーダ５の記憶装置に記憶されている端末識別情報と、を呼制御装置４へ送信する。
【００６８】
呼制御装置４の機能は、ユーザ位置情報受信部（ユーザ位置情報受付手段、ユーザ位置情報受付工程）２１と、ユーザ位置情報記憶部２２と、呼出制御部（呼出制御手段）２３と、発呼情報記憶部（発呼情報記憶手段）２４と、を含む。
【００６９】
ユーザ位置情報受信部２１は、ユーザ位置情報送信部１２からユーザ位置情報及び端末識別情報を受信する（受け付ける）。
【００７０】
ユーザ位置情報記憶部２２は、ユーザ位置情報受信部２１によって受信されたユーザ位置情報及び端末識別情報を対応付けた端末毎ユーザ位置情報を呼制御装置４の記憶装置に記憶させる。このとき、ユーザ位置情報記憶部２２は、新たに記憶させる端末毎ユーザ位置情報に含まれる端末識別情報と同一の端末識別情報を含む端末毎ユーザ位置情報が既に記憶装置に記憶されている場合には、この端末毎ユーザ位置情報を消去した後に新しい端末毎ユーザ位置情報を記憶させる。
【００７１】
呼出制御部２３は、発呼情報受信部２３ａと、選択情報受信部２３ｂと、を含む。
発呼情報受信部２３ａは、第１の電話端末（通信元端末）２から発呼情報を受信する。ここで、発呼情報は、通信元特定情報及び通信先特定情報を含む。
【００７２】
また、通信元特定情報は、電話端末（通信元端末）を特定する情報である。発呼情報受信部２３ａは、電話端末から発呼信号を受信することにより、その発呼信号を送信してきた電話端末を特定する情報を通信元特定情報として取得する。
【００７３】
また、通信先特定情報は、電話端末（通信先端末）を特定する情報（本例では、電話番号）である。発呼情報受信部２３ａは、電話端末から通信先選択信号を受信することにより、その通信先選択信号が表す情報を通信先特定情報として取得（受信）する。
【００７４】
呼出制御部２３は、呼制御装置４の記憶装置に記憶されている端末毎ユーザ位置情報のうちの、発呼情報受信部２３ａにより受信された発呼情報に含まれる通信先特定情報と同一の端末識別情報を含む端末毎ユーザ位置情報を取得する。呼出制御部２３は、取得した端末毎ユーザ位置情報に含まれるユーザ位置情報が「在席」を表す場合、その通信先特定情報により特定される第２の電話端末（通信先端末）３へ、その通信先端末３を呼び出す呼出信号を送信する。
【００７５】
通信先端末３は、呼出信号を受信すると、図示しないスピーカを介して呼出音を発生する。そして、通信先端末３は、この状態において、ユーザＵＢにより受話器が持ち上げられることにより、応答信号を呼制御装置４へ送信する。
【００７６】
呼出制御部２３は、通信先端末３から応答信号を受信すると、通信元端末２と通信先端末３との間の通信を確立する（通信元端末２と通信先端末３との間の通信を可能にする）。
これにより、通信元端末２を使用するユーザＵＡと通信先端末３を使用するユーザＵＢとの間で通話が行われる。
【００７７】
一方、呼出制御部２３は、取得した端末毎ユーザ位置情報に含まれるユーザ位置情報が「離席」を表す場合、発呼情報受信部２３ａにより受信された発呼情報を発呼情報記憶部２４へ送る。更に、呼出制御部２３は、通信元端末２と呼制御装置４との間の通信を確立する。そして、呼出制御部２３は、通信元端末２を使用するユーザＵＡに通信先端末３を使用するユーザＵＢが不在である旨を表すメッセージを通知する（メッセージを表す音声を再生する）。即ち、この場合、呼出制御部２３は、通信先端末３を呼び出す呼出信号を通信先端末３へ送信しない。
【００７８】
発呼情報記憶部２４は、呼出制御部２３から発呼情報を受け取ると、受け取った発呼情報を呼制御装置４の記憶装置に記憶させる。
【００７９】
また、呼出制御部２３は、呼制御装置４の記憶装置に記憶されている端末毎ユーザ位置情報に含まれるユーザ位置情報が、「離席」を表す情報から「在席」を表す情報へ変化した場合、コールバック処理を行う。
【００８０】
コールバック処理は、通信元端末２を呼び出すとともに、通信元端末２を使用するユーザＵＡに通信先端末３を呼び出すか否かを選択させ、通信先端末３を呼び出すことが選択された場合に通信先端末３を呼び出す処理である。
【００８１】
具体的には、呼出制御部２３は、「離席」を表す情報から「在席」を表す情報へ変化したユーザ位置情報を含む端末毎ユーザ位置情報に含まれる端末識別情報と同一の通信先特定情報を含む発呼情報を、発呼情報記憶部２４により呼制御装置４の記憶装置に記憶されている発呼情報であって後述する呼出禁止情報が対応付けられていない発呼情報の中から取得する。
【００８２】
呼出制御部２３は、発呼情報が取得されなかった場合、コールバック処理を終了する。一方、発呼情報が取得された場合、呼出制御部２３は、取得された発呼情報に含まれる通信元特定情報により特定される通信元端末２を呼び出す呼出信号を通信元端末２へ送信する。
【００８３】
通信元端末２は、呼出信号を受信すると、図示しないスピーカを介して呼出音を発生する。そして、通信元端末２は、この状態において、通信元端末２を使用するユーザＵＡによって受話器が持ち上げられることにより、応答信号を呼制御装置４へ送信する。
【００８４】
呼出制御部２３は、通信元端末２から応答信号を受信すると、通信元端末２と呼制御装置４との間の通信を確立する。そして、呼出制御部２３は、第１の処理、第２の処理、及び、第３の処理のうちのいずれか１つの処理を選択する選択情報を入力することを促すメッセージを、通信元端末２を使用するユーザＵＡに通知する。
【００８５】
ここで、第１の処理は、通信先端末３との間の通信を確立するための処理である。また、第２の処理は、通信先端末３との間の通信の開始を延期するための処理である。更に、第３の処理は、通信先端末３との間の通信の要求を取り消すための処理である。
【００８６】
そして、選択情報受信部２３ｂは、通信元端末２から選択情報を受信する（受け付ける）。
ここで、選択情報は、通信要求情報、通信延期情報、又は、要求取消情報である。通信要求情報は、通信先端末３との間の通信を要求する情報である。通信延期情報は、通信先端末３との間の通信の開始を延期する旨を指示する情報である。要求取消情報は、通信先端末３との間の通信の要求を取り消す旨を指示する情報である。
【００８７】
呼出制御部２３は、選択情報受信部２３ｂによって受信された選択情報が通信要求情報である場合、通信先端末３を呼び出す呼出信号を通信先端末３へ送信する。通信先端末３は、呼出信号を受信すると、図示しないスピーカを介して呼出音を発生する。そして、通信先端末３は、この状態において、ユーザＵＢによって受話器が持ち上げられることにより、応答信号を呼制御装置４へ送信する。呼出制御部２３は、通信先端末３から応答信号を受信すると、通信元端末２と通信先端末３との間の通信を確立する。これにより、通信元端末２を使用するユーザＵＡと通信先端末３を使用するユーザＵＢとの間で通話が行われる。
更に、呼出制御部２３は、上記取得した発呼情報を呼制御装置４の記憶装置から消去する。
【００８８】
一方、呼出制御部２３は、選択情報受信部２３ｂによって受信された選択情報が通信延期情報である場合、通信先端末３へ呼出信号を送信することなく、上記取得した発呼情報に対応付けて呼出禁止情報を呼制御装置４の記憶装置に記憶させる。呼出禁止情報は、選択情報を受信した日時から予め設定された延期時間（例えば、３時間）だけ後（将来）の日時を表す情報である。なお、呼出制御部２３は、記憶装置に記憶されている呼出禁止情報のうちの、現時点よりも前の日時を表す呼出禁止情報を記憶装置から消去する。
【００８９】
また、呼出制御部２３は、選択情報受信部２３ｂによって受信された選択情報が要求取消情報である場合、通信先端末３へ呼出信号を送信することなく、上記取得した発呼情報を呼制御装置４の記憶装置から消去する。
【００９０】
また、通信元端末２の機能は、発呼情報送信部３１と、選択情報入力部３２と、選択情報送信部３３と、を含む。
発呼情報送信部３１は、ユーザＵＡによって受話器が持ち上げられることにより、発呼信号を呼制御装置４へ送信する。また、発呼情報送信部３１は、発呼信号を送信した後に、ユーザＵＡによってダイアル用ボタンが押されることにより、通信先選択信号を呼制御装置４へ送信する。
【００９１】
選択情報入力部３２は、通信要求情報、通信延期情報、及び、要求取消情報のそれぞれに対応するダイアル用ボタンをユーザＵＡが押すことにより、ユーザＵＡによって入力された選択情報を受け付ける。選択情報送信部３３は、選択情報入力部３２によって受け付けた選択情報を呼制御装置４へ送信する。
【００９２】
次に、上述した通信システム１の作動について具体的に述べる。
いま、通信先端末３を使用するユーザＵＢの位置が端末使用領域内の位置である場合を想定して説明を続ける。
【００９３】
この場合、ＲＦＩＤリーダ５は、ユーザＵＢの位置が端末使用領域内の位置であること（「在席」）を表すユーザ位置情報と、通信先端末３を識別する端末識別情報と、を呼制御装置４へ送信する。
これにより、呼制御装置４は、「在席」を表すユーザ位置情報と、通信先端末３を識別する端末識別情報と、を対応付けた端末毎ユーザ位置情報を呼制御装置４の記憶装置に記憶させる。
【００９４】
一方、呼制御装置４のＣＰＵは、図３にフローチャートにより示した発呼時呼出制御プログラムを、呼制御装置４の起動時に１度だけ実行するようになっている。なお、図３のプログラムの処理が実行されることは、呼出制御工程及び呼出制御手段の機能の一部が達成されることに対応している。
【００９５】
具体的には、ＣＰＵは、発呼情報を受信するまで待機する（ステップ３０５）。
いま、通信元端末２を使用するユーザＵＡがユーザＵＢと通話することを希望する場合について説明を続ける。
【００９６】
この場合、ユーザＵＡは、通信元端末２の受話器を持ち上げるとともに、ダイアル用ボタンを押すことにより通信先端末３を特定する通信先特定情報（通信先端末３の電話番号）を入力する。これにより、通信元端末２は、発呼信号、及び、通信先特定情報を表す通信先選択信号を送信することにより発呼情報を呼制御装置４へ送信する。
【００９７】
従って、呼制御装置４のＣＰＵは、「Ｙｅｓ」と判定してステップ３１０に進み、呼制御装置４の記憶装置に記憶されている端末毎ユーザ位置情報のうちの、受信された発呼情報に含まれる通信先特定情報と同一の端末識別情報を含む端末毎ユーザ位置情報を取得する。
【００９８】
そして、ＣＰＵは、取得した端末毎ユーザ位置情報に含まれるユーザ位置情報が「在席」を表す（ユーザＵＢの位置が端末使用領域内の位置である）か否かを判定する。
上記仮定に従えば、通信先端末３を識別する端末識別情報と、「在席」を表すユーザ位置情報と、を対応付けた端末毎ユーザ位置情報が呼制御装置４の記憶装置に記憶されている。
【００９９】
従って、ＣＰＵは、「Ｙｅｓ」と判定してステップ３１５に進み、通信先端末３を呼び出す呼出信号を通信先端末３へ送信する。次いで、ＣＰＵは、通信元端末２と通信先端末３との間の通話処理を行う（ステップ３２０）。即ち、ＣＰＵは、通信先端末３から応答信号を受信した場合に通信元端末２と通信先端末３との間の通信を確立する（通信元端末２と通信先端末３との間の通信を可能にする）。
これにより、ユーザＵＡとユーザＵＢとの間で通話が行われる。
【０１００】
次いで、ＣＰＵは、ステップ３０５へ戻り、ステップ３０５〜ステップ３３０の処理を繰り返し実行する。
【０１０１】
次に、通信先端末３を使用するユーザＵＢの位置が端末使用領域内の位置でない状態において、通信元端末２を使用するユーザＵＡがユーザＵＢと通話することを希望する場合について説明する。
【０１０２】
この場合、ＲＦＩＤリーダ５は、ユーザＵＢの位置が端末使用領域内の位置でないこと（「離席」）を表すユーザ位置情報と、通信先端末３を識別する端末識別情報と、を呼制御装置４へ送信する（図４のステップＤ４１）。
これにより、呼制御装置４は、「離席」を表すユーザ位置情報と、通信先端末３を識別する端末識別情報と、を対応付けた端末毎ユーザ位置情報を呼制御装置４の記憶装置に記憶させる（図４のステップＢ４１）。
【０１０３】
また、呼制御装置４のＣＰＵが図３のステップ３１０に進んだとき、ＣＰＵは、「Ｎｏ」と判定してステップ３２５に進み、ユーザ不在メッセージ通知処理を行う。即ち、ＣＰＵは、通信元端末２と呼制御装置４との間の通信を確立する。そして、ＣＰＵは、通信元端末２を使用するユーザＵＡに通信先端末３を使用するユーザＵＢが不在である旨を表すメッセージ（ユーザ不在メッセージ）を通知する（メッセージを表す音声を再生する、図４のステップＢ４２）。
【０１０４】
これによれば、ユーザＵＢの位置が端末使用領域外の位置である（ユーザＵＢが通信先端末３を使用できない位置にいる）場合に、無駄に通信先端末３を呼び出すことを防止することができる。更に、ユーザＵＢの位置が端末使用領域外の位置であることをユーザＵＡに認識させることができる。この結果、ユーザＵＡの利便性を向上させることができる。
【０１０５】
次いで、ＣＰＵは、ステップ３０５にて受信した発呼情報を呼制御装置４の記憶装置に記憶させる（図３のステップ３３０、図４のステップＢ４３）。その後、ＣＰＵは、ステップ３０５へ戻り、ステップ３０５〜ステップ３３０の処理を繰り返し実行する。
なお、ステップ３３０の処理は、発呼情報記憶処理工程及び発呼情報記憶処理手段に対応している。
【０１０６】
一方、呼制御装置４のＣＰＵは、図５にフローチャートにより示したユーザ位置変化時呼出制御プログラムを、呼制御装置４の起動時に１度だけ実行するようになっている。なお、図５のプログラムの処理が実行されることは、呼出制御工程及び呼出制御手段の機能の一部が達成されることに対応している。
【０１０７】
具体的には、ＣＰＵは、ユーザ位置情報を受信するまで待機する（ステップ５０５）。
いま、通信元端末２を特定する通信元特定情報と通信先端末３を特定する通信先特定情報とからなる発呼情報が呼制御装置４の記憶装置に記憶されている状態を想定する。この状態において、ユーザＵＢが端末使用領域外の位置から端末使用領域内の位置へ移動した場合について説明する。
【０１０８】
この場合、ＲＦＩＤリーダ５は、ユーザＵＢの位置が端末使用領域内の位置であること（「在席」）を表すユーザ位置情報と、通信先端末３を識別する端末識別情報と、を呼制御装置４へ送信する（図６のステップＤ６１）。
【０１０９】
これにより、呼制御装置４は、「在席」を表すユーザ位置情報と、通信先端末３を識別する端末識別情報と、を対応付けた端末毎ユーザ位置情報を呼制御装置４の記憶装置に記憶させる（図６のステップＢ６１）。
【０１１０】
また、呼制御装置４のＣＰＵは、図５のステップ５０５にて「Ｙｅｓ」と判定してステップ５１０に進み、ユーザＵＢの位置が端末使用領域外の位置から端末使用領域内の位置へ変化したか否かを判定する。
【０１１１】
この状態においては、呼制御装置４の記憶装置に記憶されているユーザ位置情報は、「離席」を表す情報から「在席」を表す情報へ変化している。従って、ＣＰＵは、「Ｙｅｓ」と判定してステップ５１５へ進む。
【０１１２】
次いで、ＣＰＵは、通信先端末３を特定する通信先特定情報を含む発呼情報であって、呼出禁止情報と対応付けられていない発呼情報が、呼制御装置４の記憶装置に記憶されているか否かを判定する。
【０１１３】
この状態においては、ＣＰＵは、「Ｙｅｓ」と判定してステップ５２０に進む。
なお、ステップ５１０又はステップ５１５にて「Ｎｏ」と判定された場合には、ＣＰＵはステップ５０５へ戻る。
【０１１４】
そして、ＣＰＵは、ステップ５２０にて、「離席」を表す情報から「在席」を表す情報へ変化したユーザ位置情報を含む端末毎ユーザ位置情報に含まれる端末識別情報と同一の通信先特定情報（ここでは、通信先端末３を特定する通信先特定情報）を含む発呼情報を、呼制御装置４の記憶装置に記憶されている発呼情報であって呼出禁止情報が対応付けられていない発呼情報の中から取得する。更に、ＣＰＵは、取得した発呼情報に含まれる通信元特定情報により特定される通信元端末２を呼び出す呼出信号を通信元端末２へ送信する（図６のステップＢ６２）。
【０１１５】
次いで、ＣＰＵは、通信元端末２と呼制御装置４との間の選択情報入力用メッセージ通知処理を行う（ステップ５２５）。即ち、ＣＰＵは、通信元端末２から応答信号を受信した場合に通信元端末２と呼制御装置４との間の通信を確立する。そして、ＣＰＵは、選択情報を入力することを促すメッセージ（選択情報入力メッセージ）を通知する（メッセージを表す音声を再生する、図６のステップＢ６３）。
【０１１６】
次いで、ＣＰＵは、選択情報を受信するまで待機する（ステップ５３０）。
先ず、ユーザＵＡが、この時点にてユーザＵＢと通話することを希望する場合について説明する。
【０１１７】
この場合、ユーザＵＡは、通信要求情報に対応するダイアル用ボタン（本例では、「１」のボタン）を押す。これにより、通信元端末２は、通信要求情報を選択情報として呼制御装置４へ送信する（図６のステップＡ６２）。
【０１１８】
これにより、呼制御装置４のＣＰＵは、図５のステップ５３０にて「Ｙｅｓ」と判定してステップ５３５へ進み、受信した選択情報が通信要求情報であるか否かを判定する。この状態においては、ＣＰＵは、「Ｙｅｓ」と判定してステップ５４０に進む。
【０１１９】
そして、ＣＰＵは、通信先端末３を呼び出す呼出信号を通信先端末３へ送信する（図６のステップＢ６４）。次いで、ＣＰＵは、通信元端末２と通信先端末３との間の通話処理を行う（ステップ５４５）。即ち、ＣＰＵは、通信先端末３から応答信号を受信した場合に通信元端末２と通信先端末３との間の通信を確立する（図６のステップＡ６３，Ｃ６２）。これにより、ユーザＵＡとユーザＵＢとの間で通話が行われる。
【０１２０】
更に、呼制御装置４のＣＰＵは、上記ステップ５２０にて取得した発呼情報を呼制御装置４の記憶装置から消去する。そして、ＣＰＵは、ステップ５０５へ戻り、ステップ５０５〜ステップ５６５の処理を繰り返し実行する。
【０１２１】
次に、選択情報を入力することを促すメッセージが通知された時点にて、ユーザＵＡが、ユーザＵＢとの間の通話の開始を延期することを希望する場合について説明する。
【０１２２】
この場合、ユーザＵＡは、通信延期情報に対応するダイアル用ボタン（本例では、「２」のボタン）を押す。これにより、通信元端末２は、通信延期情報を選択情報として呼制御装置４へ送信する。
【０１２３】
これにより、呼制御装置４のＣＰＵは、図５のステップ５３０にて「Ｙｅｓ」と判定するとともにステップ５３５にて「Ｎｏ」と判定してステップ５５０に進む。そして、ＣＰＵは、受信した選択情報が通信延期情報であるか否かを判定する。この状態においては、ＣＰＵは、「Ｙｅｓ」と判定してステップ５５５に進む。
【０１２４】
そして、ＣＰＵは、上記ステップ５２０にて取得した発呼情報に対応付けて呼出禁止情報を呼制御装置４の記憶装置に記憶させる。また、ＣＰＵは、別途、呼制御装置４の記憶装置に記憶されている呼出禁止情報のうちの、現時点よりも前の日時を表す呼出禁止情報を記憶装置から消去する処理を行う。
【０１２５】
これにより、延期時間が経過するまでの間、呼出禁止情報が対応付けられた発呼情報に基づいて通信元端末２へ呼出信号が送信されることが禁止される。即ち、その発呼情報に基づく呼出信号の送信が延期時間だけ延期される。この結果、ユーザＵＡの利便性を向上させることができる。また、ユーザＵＡがユーザＵＢに電話をかけ忘れることによって、ユーザＵＡとユーザＵＢとの間の通話が行われないことを防止することができる。
【０１２６】
そして、ＣＰＵは、ステップ５０５へ戻り、ステップ５０５〜ステップ５６５の処理を繰り返し実行する。
【０１２７】
次に、選択情報を入力することを促すメッセージが通知された時点にて、ユーザＵＡが、ユーザＵＢと通話することを希望しなくなった場合について説明する。
【０１２８】
この場合、ユーザＵＡは、要求取消情報に対応するダイアル用ボタン（本例では、「３」のボタン）を押す。これにより、通信元端末２は、要求取消情報を選択情報として呼制御装置４へ送信する。
【０１２９】
これにより、呼制御装置４のＣＰＵは、図５のステップ５３０にて「Ｙｅｓ」と判定するとともにステップ５３５及びステップ５５０にて「Ｎｏ」と判定してステップ５６０に進む。そして、ＣＰＵは、受信した選択情報が要求取消情報であるか否かを判定する。この状態においては、ＣＰＵは、「Ｙｅｓ」と判定してステップ５６５に進む。
【０１３０】
そして、ＣＰＵは、通信先端末３へ呼出信号を送信することなく、上記ステップ５２０にて取得した発呼情報を呼制御装置４の記憶装置から消去する。これにより、以降において、この発呼情報に基づいて通信元端末２へ呼出信号が送信されることはない。即ち、ユーザＵＡは、通信元端末２と通信先端末３との間の通信の要求を取り消す（キャンセルする）ことができる。この結果、ユーザＵＡの利便性を向上させることができる。
そして、ＣＰＵは、ステップ５０５へ戻り、ステップ５０５〜ステップ５６５の処理を繰り返し実行する。
【０１３１】
以上、説明したように、本発明による通信システムの実施形態によれば、第１の電話端末２を使用するユーザ（第１のユーザ）ＵＡが選択情報を入力することにより、呼出信号を第２の電話端末３へ送信するか否かを決定することができる。従って、第２の電話端末３を使用するユーザ（第２のユーザ）ＵＢの位置が端末使用領域内の位置となった時点にて、第１のユーザＵＡが通話を希望していない場合、第２のユーザＵＢとの間の通話が開始することを防止できる。即ち、第１のユーザＵＡの利便性を向上させることができる。
【０１３２】
なお、本発明は上記実施形態に限定されることはなく、本発明の範囲内において種々の変形例を採用することができる。例えば、上記実施形態において、コールバック処理は、通信元端末２を呼び出すとともに、通信元端末２を使用するユーザＵＡに通信先端末３を呼び出すか否かを選択させ、通信先端末３を呼び出すことが選択された場合に通信先端末３を呼び出す処理であった。ところで、コールバック処理は、通信先端末３を呼び出すとともに、通信先端末３を使用するユーザＵＢに通信元端末２を呼び出すか否かを選択させ、通信元端末２を呼び出すことが選択された場合に通信元端末２を呼び出す処理であってもよい。
【０１３３】
即ち、呼出制御部２３は、通信先特定情報が記憶装置に記憶されている状態において、ユーザ位置検出部１１によりユーザＵＢの位置が端末使用領域内の位置であると検出された場合、ユーザＵＢによって入力された選択情報を受け付けるとともに、その受け付けた選択情報が、通信元端末２との間の通信を要求する通信要求情報であるとき、通信元端末２を呼び出す呼出信号を通信元端末２へ送信するように構成されていてもよい。
【０１３４】
これによれば、第２の電話端末３を使用するユーザ（第２のユーザ）ＵＢが選択情報を入力することにより、呼出信号を第１の電話端末２へ送信するか否かを決定することができる。従って、第２のユーザＵＢの位置が端末使用領域内の位置となった時点にて、第２のユーザＵＢが通話を希望していない場合、第１の電話端末２を使用するユーザ（第１のユーザ）ＵＡとの間の通話が開始することを防止できる。即ち、第２のユーザＵＢの利便性を向上させることができる。
【０１３５】
また、上記実施形態は、ＲＦＩＤリーダ５及びＲＦＩＤタグ６によりユーザＵＢの位置が端末使用領域内の位置であるか否かを検出するように構成されていたが、ユーザＵＢが保持する端末であってＧＰＳ（Ｇｌｏｂａｌ  Ｐｏｓｉｔｉｏｎｉｎｇ  Ｓｙｓｔｅｍ）機能を有する携帯型の端末によりユーザＵＢの位置を検出するように構成されていてもよい。
【０１３６】
更に、上記実施形態においては、ＲＦＩＤリーダ５と通信先端末３とは、別の装置として構成されていたが、ＲＦＩＤリーダ５の機能が通信先端末３に搭載されていてもよい。
【産業上の利用可能性】
【０１３７】
本発明は、複数の電話端末と呼制御装置とを含む電話システム等に適用可能である。
【図面の簡単な説明】
【０１３８】
【図１】本発明の第１実施形態に係る通信システムの概略構成を表す図である。
【図２】図１に示した通信システムの機能の概略を表すブロック図である。
【図３】図１に示した呼制御装置のＣＰＵが実行する発呼時呼出制御プログラムを示したフローチャートである。
【図４】図１に示した通信システムの、通信先端末のユーザの位置が領域外の位置である状態において電話をかけた場合における作動を示したシーケンス図である。
【図５】図１に示した呼制御装置のＣＰＵが実行するユーザ位置変化時呼出制御プログラムを示したフローチャートである。
【図６】図１に示した通信システムの、通信先端末のユーザの位置が領域外の位置から領域内の位置へ変化した場合における作動を示したシーケンス図である。
【符号の説明】
【０１３９】
１      通信システム
２      通信元端末（第１の電話端末）
３      通信先端末（第２の電話端末）
４      呼制御装置
５      ＲＦＩＤリーダ
６      ＲＦＩＤタグ
１１    ユーザ位置検出部
１２    ユーザ位置情報送信部
２１    ユーザ位置情報受信部
２２    ユーザ位置情報記憶部
２３    呼出制御部
２３ａ  発呼情報受信部
２３ｂ  選択情報受信部
２４    発呼情報記憶部
３１    発呼情報送信部
３２    選択情報入力部
３３    選択情報送信部
【図１】
0004893671.tif 000002
【図２】
0004893671.tif 000003
【図３】
0004893671.tif 000004
【図４】
0004893671.tif 000005
【図５】
0004893671.tif 000006
【図６】
0004893671.tif 000007